(57)【要約】      （修正有）【課題】ユーザ装置間で複数の画面を分配して、入力インターフェースを共有するマルチスクリーン具現方法、及びマルチスクリーン設定を実行するユーザ装置を提供する。【解決手段】ユーザ装置間で複数の画面を分配して、入力インターフェースを共有するマルチスクリーン具現方法は、第１ユーザ装置が少なくとも１つの第２ユーザ装置とのネットワークを設定する段階と、第１ユーザ装置がネットワークを介して少なくとも１つの第２ユーザ装置をマルチスクリーンに設定するための情報を送受信する段階と、第１ユーザ装置が少なくとも１つの第２ユーザ装置にマルチスクリーン設定を実行する段階と、を含むことができる。【選択図】図６
2016164769.tif 000002
【特許請求の範囲】
【請求項１】
第１ユーザ装置が、少なくとも１つの第２ユーザ装置とのネットワークを設定する段階と、
前記第１ユーザ装置が、前記ネットワークを介し、少なくとも１つの前記第２ユーザ装置をマルチスクリーンに設定するための情報を送受信する段階と、
前記第１ユーザ装置が、少なくとも１つの前記第２ユーザ装置にマルチスクリーン設定を実行する段階と、
を含むことを特徴とする、ユーザ装置間で複数の画面を分配して、入力インターフェースを共有するマルチスクリーン具現方法。
【請求項２】
前記第１ユーザ装置が、少なくとも１つの前記第２ユーザ装置の入力インターフェースを決定する段階を、
さらに含むことを特徴とする、請求項１に記載のマルチスクリーン具現方法。
【請求項３】
前記マルチスクリーン設定は、前記第１ユーザ装置の画面で出力される少なくとも１つの第１アプリケーションに対する設定、及び前記第２ユーザ装置の画面で出力される少なくとも１つの第２アプリケーションに対する設定と、
を含むことを特徴とする、請求項１に記載のマルチスクリーン具現方法。
【請求項４】
切り替え指示命令により、前記第１ユーザ装置の第１デフォルト画面は、特定の前記第２ユーザ装置の第２デフォルト画面に切り替えられる段階、をさらに含み、
前記第１デフォルト画面は、前記マルチスクリーン設定に基づいて設定された、少なくとも１つの前記第１アプリケーションが出力された画面であり、
前記第２デフォルト画面は、前記マルチスクリーン設定に基づいて設定された、少なくとも１つの前記第２アプリケーションが出力された画面であること、
を特徴とする、請求項３に記載のマルチスクリーン具現方法。
【請求項５】
前記切り替え指示命令に基づいて、前記第１ユーザ装置の画面が、前記第１デフォルト画面から、前記第２デフォルト画面に切り替えられたとき、前記第１ユーザ装置を介して、少なくとも１つの前記第２アプリケーションの出力サイズを制御できること、
を特徴とする、請求項４に記載のマルチスクリーン具現方法。
【請求項６】
前記切り替え指示命令に基づいて、前記第１ユーザ装置の画面が、前記第１デフォルト画面から、前記第２デフォルト画面に切り替えられたとき、前記第１ユーザ装置を介して、少なくとも１つの前記第２アプリケーションを終了させることができ、
前記第２アプリケーションが終了したとき、前記第１ユーザ装置は、前記第２デフォルト画面上に出力される他の前記第２アプリケーションの出力構成を再構築すること、
を特徴とする、請求項４に記載のマルチスクリーン具現方法。
【請求項７】
マルチスクリーン設定のために前記第２ユーザ装置から送信される情報は、前記第２ユーザ装置の画面サイズ情報、前記第２ユーザ装置の解像度情報を含むこと、を特徴とする請求項３に記載のマルチスクリーン具現方法。
【請求項８】
前記第１ユーザ装置が、前記マルチスクリーン設定のために前記第２ユーザ装置から送信される情報に基づいて、少なくとも１つの前記第２ユーザ装置のための通信資源を割り当てる段階と、
前記第１ユーザ装置が、前記通信資源を介して、少なくとも１つの前記第２ユーザ装置に前記マルチスクリーン設定を実施するための情報を送信する段階と、
をさらに含むことを特徴とする、請求項７に記載のマルチスクリーン具現方法。
【請求項９】
第１ユーザ装置はプロセッサを含み、
前記プロセッサは、少なくとも１つの第２ユーザ装置とのネットワークを設定し、
前記ネットワークを介して、前記第２ユーザ装置をマルチスクリーンに設定するための情報を送受信し、
前記第２ユーザ装置にマルチスクリーン設定を実行するように具備されること、
を特徴とする、ユーザ装置間で複数の画面を分配し、入力インターフェースを共有するマルチスクリーンを具現するユーザ装置。
【請求項１０】
前記プロセッサは、少なくとも１つの前記第２ユーザ装置の入力インターフェースを決定するように具備されること、を特徴とする請求項９に記載のユーザ装置。
【請求項１１】
前記マルチスクリーン設定は、前記第１ユーザ装置の画面で出力される少なくとも１つの第１アプリケーションに対する設定、及び前記第２ユーザ装置の画面で出力される少なくとも１つの第２アプリケーションに対する設定と、
を含むことを特徴とする、請求項９に記載のユーザ装置。
【請求項１２】
前記プロセッサは、切り替え指示命令により、前記第１ユーザ装置の第１デフォルト画面を、特定の前記第２ユーザ装置の第２デフォルト画面に切り替えられるように具備され、
前記第１デフォルト画面は、前記マルチスクリーン設定に基づいて設定された、少なくとも１つの前記第１アプリケーションが出力された画面であり、
前記第２デフォルト画面は、前記マルチスクリーン設定に基づいて設定された、少なくとも１つの前記第２アプリケーションが出力された画面であること、
を特徴とする、請求項１１に記載のユーザ装置。
【請求項１３】
前記プロセッサは、前記切り替え指示命令に基づいて、前記第１ユーザ装置の画面が、前記第１デフォルト画面から、前記第２デフォルト画面に切り替えられたとき、前記第１ユーザ装置を介して、少なくとも１つの前記第２アプリケーションの出力サイズを制御できるように具備されること、
を特徴とする、請求項１２に記載のユーザ装置。
【請求項１４】
前記プロセッサは、前記切り替え指示命令に基づいて、前記第１ユーザ装置の画面が、前記第１デフォルト画面から、前記第２デフォルト画面に切り替えられたとき、前記第１ユーザ装置を介して、少なくとも１つの前記第２アプリケーションを終了できるように具備され、
前記第２アプリケーションが終了したとき、前記第１ユーザ装置は、前記第２デフォルト画面上に出力される他の前記第２アプリケーションの出力構成を再構築すること、
を特徴とする、請求項１２に記載のユーザ装置。
【請求項１５】
マルチスクリーン設定のために前記第２ユーザ装置から送信される情報は、前記第２ユーザ装置の画面サイズ情報、前記第２ユーザ装置の解像度情報を含むこと、を特徴とする、請求項１１に記載のユーザ装置。
【請求項１６】
前記プロセッサは、前記マルチスクリーン設定のために前記第２ユーザ装置から送信される情報に基づいて、少なくとも１つの前記第２ユーザ装置のための通信資源を割り当て、
前記通信資源を介して、少なくとも１つの前記第２ユーザ装置に前記マルチスクリーン設定を実施するための情報を送信するように具備されること、
を特徴とする、請求項１５に記載のユーザ装置。
【発明の詳細な説明】
【技術分野】
【０００１】
本発明は、ユーザ装置間で複数の画面を分配して、入力インターフェースを共有するマルチスクリーン具現方法、及びマルチスクリーン設定を実行するユーザ装置に関する。
【背景技術】
【０００２】
スマートＴＶ、スマートフォン、タブレットなどのスマートデバイス、及びＮ−スクリーンサービスまたはマルチスクリーンサービスが台頭する以前には、端末の種類に応じて情報を提供する主体が明確に区分されていた。
【０００３】
例えば、ＴＶでは放送局が、携帯電話では移動通信事業者が、パーソナルコンピュータではＷｅｂポータル事業者が中心となり、各機器のスクリーンを掌握していたと言っても過言ではない。しかし、近年においては、スマート機器、ネットワーク、コンテンツ及びサービス提供プラットホームなどの進化とともに、情報提供主体の境界が崩れ、様々なスマートデバイスに対応するニューメディアの登場により、クロスプラットホームとマルチスクリーンサービス時代が普遍化しつつある。
【０００４】
マルチスクリーンサービスとは、スマート機器やプラットホームに関係なく、いつでもどこでもコンテンツにアクセスし、利用することができる環境を提供するサービス、と定義することができる。
【０００５】
マルチスクリーンサービスは、リアルタイム放送及びオンデマンドビデオなどのコンテンツサービスを中心に活性化しているだけでなく、ユーザ同士の相互連携が多いゲームサービスにも拡張されている。このように、マルチスクリーンサービスでは、コンテンツサービスの観点から１つのコンテンツを様々なスクリーンで共通して提供する形態、スクリーン間の移動性を考慮した途切れることのないコンテンツサービス形態、各スクリーンの属性に応じたコンテンツ変換による機器別の特性に合うコンテンツを提供する形態でサービスが行われている。
【先行技術文献】
【特許文献】
【０００６】
【特許文献１】韓国公開特許第１０−２００７−０１３３７０５
【発明の概要】
【発明が解決しようとする課題】
【０００７】
従来、ユーザ装置間でスクリーンを共有するためには、特定のユーザ装置の画面で出力されるイメージを別のユーザ装置の画面でミラーリングする方法が使用されてきた。
しかし、このような方法が使用される場合、小さい画面上で出力される画面を大きい画面上で出力することはできるが、ユーザの意図に応じて、様々な画面構成をとることは不可能であった。
そこで、本発明は、上記問題に鑑みてなされたものであり、発明の目的とするところは、ユーザ装置間で複数の画面を分配して、入力インターフェースを共有することが可能な、新規かつ改良された装置及び具現方法を提供することにある。
【課題を解決するための手段】
【０００８】
上記課題を解決するために、本発明のある観点によれば、第１ユーザ装置が、少なくとも１つの第２ユーザ装置とのネットワークを設定する段階と、前記第１ユーザ装置が、前記ネットワークを介し、少なくとも１つの前記第２ユーザ装置をマルチスクリーンに設定するための情報を送受信する段階と、前記第１ユーザ装置が、少なくとも１つの前記第２ユーザ装置にマルチスクリーン設定を実行する段階と、を含むことを特徴とする、ユーザ装置間で複数の画面を分配して、入力インターフェースを共有するマルチスクリーン具現方法が提供される。
【０００９】
また、前記第１ユーザ装置は、少なくとも１つの前記第２ユーザ装置の入力インターフェースを決定する段階を、さらに含んでも良い。
【００１０】
また、前記マルチスクリーン設定は、前記第１ユーザ装置の画面で出力される少なくとも１つの第１アプリケーションに対する設定、及び前記第２ユーザ装置の画面で出力される少なくとも１つの第２アプリケーションに対する設定と、を含んでも良い。
【００１１】
また、前記マルチスクリーン具現方法は、切り替え指示命令により、前記第１ユーザ装置の第１デフォルト画面は、特定の前記第２ユーザ装置の第２デフォルト画面に切り替えられる段階、をさらに含み、前記第１デフォルト画面は、前記マルチスクリーン設定に基づいて設定された、少なくとも１つの前記第１アプリケーションが出力された画面であり、前記第２デフォルト画面は、前記マルチスクリーン設定に基づいて設定された、少なくとも１つの前記第２アプリケーションが出力された画面であっても良い。
【００１２】
また、前記マルチスクリーン具現方法は、前記切り替え指示命令に基づいて、前記第１ユーザ装置の画面が、前記第１デフォルト画面から、前記第２デフォルト画面に切り替えられたとき、前記第１ユーザ装置を介して、少なくとも１つの前記第２アプリケーションの出力サイズを制御できても良い。
【００１３】
また、前記マルチスクリーン具現方法は、前記切り替え指示命令に基づいて、前記第１ユーザ装置の画面が、前記第１デフォルト画面から、前記第２デフォルト画面に切り替えられたとき、前記第１ユーザ装置を介して、少なくとも１つの前記第２アプリケーションを終了させることができ、前記第２アプリケーションが終了したとき、前記第１ユーザ装置は、前記第２デフォルト画面上に出力される他の前記第２アプリケーションの出力構成を再構築できても良い。
【００１４】
また、マルチスクリーン設定のために前記第２ユーザ装置から送信される情報は、前記第２ユーザ装置の画面サイズ情報、前記第２ユーザ装置の解像度情報を含んでも良い。
【００１５】
また、前記マルチスクリーン具現方法は、前記第１ユーザ装置が、前記マルチスクリーン設定のために前記第２ユーザ装置から送信される情報に基づいて、少なくとも１つの前記第２ユーザ装置のための通信資源を割り当てる段階と、前記第１ユーザ装置が、前記通信資源を介して、少なくとも１つの前記第２ユーザ装置に前記マルチスクリーン設定を実施するための情報を送信する段階と、をさらに含んでも良い。
【００１６】
また、上記課題を解決するために、本発明の別の観点によれば、第１ユーザ装置はプロセッサを含み、前記プロセッサは、少なくとも１つの第２ユーザ装置とのネットワークを設定し、前記ネットワークを介して、前記第２ユーザ装置をマルチスクリーンに設定するための情報を送受信し、前記第２ユーザ装置にマルチスクリーン設定を実行するように具備されること、を特徴とする、ユーザ装置間で複数の画面を分配し、入力インターフェースを共有するマルチスクリーンを具現するユーザ装置が提供される。
【００１７】
また、前記プロセッサは、少なくとも１つの前記第２ユーザ装置の入力インターフェースを決定するように具備されても良い。
【００１８】
また、前記マルチスクリーン設定は、前記第１ユーザ装置の画面で出力される少なくとも１つの第１アプリケーションに対する設定、及び前記第２ユーザ装置の画面で出力される少なくとも１つの第２アプリケーションに対する設定と、を含んでも良い。
【００１９】
また、前記プロセッサは、切り替え指示命令により、前記第１ユーザ装置の第１デフォルト画面を、特定の前記第２ユーザ装置の第２デフォルト画面に切り替えられるように具備され、前記第１デフォルト画面は、前記マルチスクリーン設定に基づいて設定された、少なくとも１つの前記第１アプリケーションが出力された画面であり、前記第２デフォルト画面は、前記マルチスクリーン設定に基づいて設定された、少なくとも１つの前記第２アプリケーションが出力された画面であっても良い。
【００２０】
また、前記プロセッサは、前記切り替え指示命令に基づいて、前記第１ユーザ装置の画面が、前記第１デフォルト画面から、前記第２デフォルト画面に切り替えられたとき、前記第１ユーザ装置を介して、少なくとも１つの前記第２アプリケーションの出力サイズを制御できるように具備されても良い。
【００２１】
また、前記プロセッサは、前記切り替え指示命令に基づいて、前記第１ユーザ装置の画面が、前記第１デフォルト画面から、前記第２デフォルト画面に切り替えられたとき、前記第１ユーザ装置を介して、少なくとも１つの前記第２アプリケーションを終了できるように具備され、前記第２アプリケーションが終了したとき、前記第１ユーザ装置は、前記第２デフォルト画面上に出力される他の前記第２アプリケーションの出力構成を再構築しても良い。
【００２２】
また、マルチスクリーン設定のために前記第２ユーザ装置から送信される情報は、前記第２ユーザ装置の画面サイズ情報、前記第２ユーザ装置の解像度情報を含んでも良い。
【００２３】
また、前記プロセッサは、前記マルチスクリーン設定のために前記第２ユーザ装置から送信される情報に基づいて、少なくとも１つの前記第２ユーザ装置のための通信資源を割り当て、前記通信資源を介して、少なくとも１つの前記第２ユーザ装置に前記マルチスクリーン設定を実施するための情報を送信するように具備されても良い。
【発明の効果】
【００２４】
以上説明したように本発明によれば、複数のユーザ装置のそれぞれに具備されるディスプレイを通じてマルチスクリーンを具現することにより、複数のディスプレイをユーザの要求に応じて多様に活用することができる。
【図面の簡単な説明】
【００２５】
【図１】本発明の実施形態に係る画面のミラーリング及び拡張方法を示す概念図である。
【図２】本発明の実施形態に係る画面の切り替え制御方法を示す概念図である。
【図３】本発明の実施形態に係るデフォルト画面の制御方法を示す概念図である。
【図４】本発明の実施形態に係るアプリケーションの追加（移動）方法を示す概念図である。
【図５】本発明の実施形態に係る入力インターフェースの設定方法を示す概念図である。
【図６】本発明の実施形態に係るマルチスクリーンの設定プロセスを示すフローチャートである。
【図７】本発明の実施形態に係る従属制御装置への資源割り当てを示す概念図である。
【図８】本発明の実施形態に係る主制御装置と従属制御装置間のネットワーク設定方法を示す概念図である。
【発明を実施するための形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
＜１．本発明の実施形態＞
まず、図１を参照して、本発明の実施形態に係る画面のミラーリング及び拡張の概念について説明する。
【００２８】
図１では、複数のユーザ装置画面において、複数のアプリケーションウィンドウを出力する方法が開示される。複数のアプリケーションは、映像コンテンツ再生プログラム、ウェブ検索プログラム、ゲームプログラムなど、ユーザ装置で実行可能な種々のプログラムであり得る。また、例えば、第１ユーザ装置はスマート機器（スマートフォン、スマートパッドなど）であり、第２ユーザ装置はディスプレイ装置であり得る。
【００２９】
以下、本発明の実施例においては、第１ユーザ装置が主制御装置であり、第２ユーザ装置は従属制御装置に区分することができる。主制御装置は、少なくとも１つのアプリケーションに対する制御を行い、少なくとも１つのアプリケーションウィンドウをマルチスクリーン上に出力するためのマルチスクリーン設定を行う装置であり得る。従属制御装置は、主制御装置によるマルチスクリーン設定に応じて、画面上にアプリケーションウィンドウを出力する装置であり得る。
【００３０】
図１の（Ａ）は、ミラーリングにより、第１ユーザ装置と第２ユーザ装置で同じアプリケーションを実行する場合を示す。例えば、第１ユーザ装置と第２ユーザ装置は、有線・無線ネットワークによって初期接続を設定することができる。主御装置である第１ユーザ装置は、第１ユーザ装置の画面上でアプリケーション１を出力し、第２ユーザ装置の画面上でもアプリケーション１を出力するためのマルチスクリーン設定を行うことができる。このようなマルチスクリーン設定が行われる場合、第１ユーザ装置と第２ユーザ装置間の有線・無線ネットワークを介して、第１ユーザ装置の画面上で出力される画面と同じ画面が第２ユーザ装置上で出力される。以下、本発明の実施例においては、第１ユーザ装置と第２ユーザ装置が無線ネットワークによって接続された場合を仮定する。
【００３１】
すなわち、第１ユーザ装置が、第２ユーザ装置との無線ネットワークを設定し、第１ユーザ装置の画面上で出力される画面をミラーリングして第２ユーザ装置の画面上で出力されるように制御することができる。具体的な第１ユーザ装置と第２ユーザ装置との間のネットワーク設定及びマルチスクリーン設定方法の詳細は後述する。
【００３２】
第１ユーザ装置だけでなく、第２ユーザ装置にもアプリケーション１を制御するための入力インターフェースが具備されている場合、ユーザは第１ユーザ装置の入力インターフェースだけでなく、第２ユーザ装置の入力インターフェースを介してアプリケーション１を制御することもできる。
【００３３】
図１の（Ｂ）は、第１ユーザ装置と第２ユーザ装置それぞれの画面上で、互いに異なるアプリケーションウィンドウが出力される場合を示す。
【００３４】
第１ユーザ装置は、第１ユーザ装置上でアプリケーション１及びアプリケーション２を実行し、マルチスクリーン設定に基づいて第１ユーザ装置の画面上でアプリケーション１を出力し、第２ユーザ装置の画面上でアプリケーション２を出力することができる。
【００３５】
図１の（Ｃ）は、第１ユーザ装置と第２ユーザ装置それぞれの画面上で互いに異なるアプリケーションウィンドウが出力される場合を示し、特に、特定のユーザ装置において複数のアプリケーションウィンドウが出力される場合を示す。
【００３６】
第１ユーザ装置は、第１ユーザ装置上でアプリケーション１、アプリケーション２及びアプリケーション３を実行し、マルチスクリーン設定に基づいて第１ユーザ装置の画面上でアプリケーション１を出力し、第２ユーザ装置の画面上でアプリケーション２及びアプリケーション３を出力することができる。
【００３７】
図１の（Ｄ）は、第１ユーザ装置と第２ユーザ装置それぞれの画面上で、それぞれ複数のアプリケーションウィンドウが出力される場合を示す。第１ユーザ装置は、第１ユーザ装置上でアプリケーション１、アプリケーション２、アプリケーション３及びアプリケーション４を実行し、マルチスクリーン設定に基づいて第１ユーザ装置の画面上でアプリケーション１及びアプリケーション２を出力し、第２ユーザ装置の画面上でアプリケーション３及びアプリケーション４を出力することができる。
【００３８】
図１では、説明の便宜上、２つのユーザ装置を基盤とした出力画面のミラーリング及び拡張方法について開示しているが、２つ以上のユーザ装置を基盤とした出力画面のミラーリング及び出力画面の拡張を行うこともできる。例えば、第１ユーザ装置を主制御装置としてアプリケーション１を出力し、第２ユーザ装置を従属制御装置としてアプリケーション２及びアプリケーション３を出力し、また第３ユーザ装置を従属制御装置としてアプリケーション４及びアプリケーション５を出力することができる。
【００３９】
このように、利用可能な複数のユーザ装置を通じてマルチスクリーンを具現することができる。
【００４０】
次に、図２を参照して、本実施形態に係る画面の切り替え制御方法ついて説明する。
【００４１】
図２を参照すれば、マルチスクリーンが設定された場合、主制御装置として動作する第１ユーザ装置の画面上に、切り替え指示子（ｉｎｄｉｃａｔｏｒ）２３０が配置される。切り替え指示子２３０は、従属制御装置として動作する他のユーザ装置が接続されたことを示すと同時に、ユーザ装置間の画面切り替え（スイッチング）のために使用される。また、切り替え指示子２３０は、アイコン、ウィジェットなど様々な形態で提供され得る。
【００４２】
ユーザが第１ユーザ装置の画面上に配置された切り替え指示子２３０をタッチすると、第１ユーザ装置の画面は、第１ユーザ装置のデフォルト画面２１０から第２ユーザ装置のデフォルト画面２２０に切り替えられる。各デフォルト画面は、マルチスクリーン設定に基づいた、特定ユーザ装置の画面におけるアプリケーションウィンドウの出力構成であり得る。
【００４３】
例えば、マルチスクリーンの設定に基づいて第１ユーザ装置の画面上でアプリケーション１が出力され、第２ユーザ装置の画面上でアプリケーション２及びアプリケーション３が出力されるように設定された場合を仮定することができる。このような場合、第１ユーザ装置のデフォルト画面２１０は、アプリケーション１が出力された画面であり、第２ユーザ装置のデフォルト画面２２０は、アプリケーション２及びアプリケーション３が出力された画面であり得る。ユーザは、アプリケーション２及びアプリケーション３が出力された第２ユーザ装置の画面を制御するために、第１ユーザ装置の画面上の切り替え指示子２３０をクリックし、第１ユーザ装置のデフォルト画面２１０を、第２ユーザ装置のデフォルト画面２２０に切り替えることができる。すなわち、第１ユーザ装置の画面上に第２ユーザ装置のデフォルト画面２２０として構成されるアプリケーション２及びアプリケーション３が出力される。
【００４４】
上述のように、ユーザは、第１ユーザ装置を利用して、他のユーザ装置のデフォルト画面を制御することができる。主制御装置として動作する特定のユーザ装置を介して他のユーザ装置のデフォルト画面設定を制御する方法は後述する。
【００４５】
図２では、説明の便宜上、切り替え指示子２３０により、第１ユーザ装置と第２ユーザ装置のデフォルト画面を切り替える方法について開示している。しかし、３つ以上のユーザ装置がマルチスクリーンを具現する場合、切り替え指示子２３０は２つ以上の従属ユーザ装置のうちいずれか任意の従属ユーザ装置のデフォルト画面を制御するために使用することができる。例えば、第１ユーザ装置の切り替え指示子２３０は、第１ユーザ装置の従属制御装置として動作する第２ユーザ装置及び第３ユーザ装置のうち任意の装置におけるデフォルト画面を第１ユーザ装置上に出力するために使用することができる。
【００４６】
ユーザが、主制御装置において、再び主制御装置のデフォルト画面を出力しようとする場合、ユーザは、主制御装置の切り替え指示子２３０を再びタッチするか、特定の入力信号（例えば、画面タッチ）を主制御装置に入力することで、主制御装置に出力される画面を切り替えることができる。
【００４７】
次に、図３を参照して、本実施形態に係るデフォルト画面の制御方法ついて説明する。
【００４８】
図３の（ａ）は、主制御装置を利用して、従属制御装置のデフォルト画面上に出力されるアプリケーションのウィンドウサイズを制御する方法を示している。具体的には、主制御装置の画面を介して、従属制御装置の画面上に出力される複数のアプリケーションウィンドウのサイズを制御する方法を示している。
【００４９】
例えば、主制御装置である第１ユーザ装置のデフォルト画面には、アプリケーション１が出力され、従属制御装置である第２ユーザ装置のデフォルト画面には、アプリケーション２（３２０）及びアプリケーション３（３３０）が出力され得る。ユーザは、第１ユーザ装置上に配置される切り替え指示子により、アプリケーション１を出力する第１ユーザ装置のデフォルト画面を切り替えて、第１ユーザ装置の画面上でアプリケーション２（３２０）及びアプリケーション３（３３０）を出力する第２ユーザ装置のデフォルト画面を呼び出すことができる。
【００５０】
ユーザは、第１ユーザ装置の画面上に出力されるアプリケーション２（３２０）及びアプリケーション３（３３０）のそれぞれのウィンドウサイズを制御することによって、第２ユーザ装置のデフォルト画面構成を制御することができる。例えば、ユーザがデフォルト画面の切り替え後、第１ユーザ装置の画面を介してアプリケーション３（３３０）のウィンドウサイズを拡大すると、第２ユーザ装置上で出力されるアプリケーション３（３３０）のウィンドウサイズを拡大することができる。
【００５１】
図３の（ｂ）は、主制御装置を利用して、従属制御装置のデフォルト画面上に出力される特定のアプリケーションウィンドウを削除することができる。具体的には、主制御装置の画面を使用して、従属制御装置の画面上に出力される少なくとも１つのアプリケーションウィンドウを削除する方法を示している。
【００５２】
例えば、第１ユーザ装置のデフォルト画面には、アプリケーション１が出力され、第２ユーザ装置のデフォルト画面には、アプリケーション２（３２０）及びアプリケーション３（３３０）が出力され得る。ユーザは、第１ユーザ装置上に配置される切り替え指示子により、アプリケーション１を出力する第１ユーザ装置のデフォルト画面を切り替えて、第１ユーザ装置の画面上でアプリケーション２（３２０）及びアプリケーション３（３３０）を出力する第２ユーザ装置のデフォルト画面を呼び出すことができる。
【００５３】
ユーザは、第１ユーザ装置の画面上に出力されるアプリケーション３（３３０）を削除することによって、第２ユーザ装置のデフォルト画面にアプリケーション２（３２０）が単一で出力されるように設定することができる。
【００５４】
さらには、任意のアプリケーションを削除した後、画面上で出力されるアプリケーションの個数が１つであれば、残されたアプリケーションが画面全体に出力されるように設定することもできる。一方、任意のアプリケーションを削除した後、画面上で出力されるアプリケーションの個数が複数であれば、各々のアプリケーションウィンドウが同じサイズで画面上に出力されるように設定するか、別途ユーザによりアプリケーション毎に指定されたウィンドウサイズに従って各々のアプリケーションが出力されるように設定することもできる。
【００５５】
次に、図４を参照して、本実施形態に係るアプリケーションの追加（移動）方法について説明する。
【００５６】
図４に示すように、ユーザは、主制御装置として動作する第１ユーザ装置に出力されるアプリケーション（Ａｐｐ１〜Ａｐｐ４）のうちの少なくとも１つを従属制御装置に移動させることができる。
【００５７】
この際、対象となるアプリケーション（Ａｐｐ２）は、第１ユーザ装置の画面上から削除されてもよく、また、そのまま維持されてもよい。
【００５８】
このようなアプリケーションの移動または追加は、主制御装置として動作する第１ユーザ装置に対するユーザの操作によって行われる。当該操作は、ドラッグ操作、メニュー入力操作、設定変更操作など様々な方法により実施される。
【００５９】
［入力インターフェースの設定方法］
次に、図５を参照して、本実施形態に係る入力インターフェースの設定方法について説明する。
【００６０】
図５では、主制御装置として動作する第１ユーザ装置を介して、外部入力装置４００またはユーザ装置上の入力装置（以下、内部入力装置４１０）を、入力インターフェースとして選択する方法が開示される。例えば、外部入力装置４００は、キーボード、マウス、タッチパッド、ジョイスティックなどであり得る。また、内部入力装置４１０は、ユーザ装置に具備される入力インターフェースであり得る。
【００６１】
図５を参照すれば、ユーザは主制御装置として動作する第１ユーザ装置を介して、従属制御装置の画面上に出力されるアプリケーションを制御するための入力インターフェースを選択することができる。
【００６２】
ユーザが外部入力装置４００を選択した場合、従属制御装置に出力されるアプリケーションは、外部入力装置４００からの入力信号を受信して制御される。
【００６３】
ユーザが内部入力装置４１０を選択した場合、任意のユーザ装置上の画面に入力インターフェースが出力される。すなわち、従属制御装置に出力されるアプリケーションは、内部入力装置４１０からの入力信号を受信して制御される。
【００６４】
［マルチスクリーンの設定プロセス］
次に、図６を参照して、本実施形態に係るマルチスクリーンの設定プロセスについて説明する。
【００６５】
図６では、複数のユーザ装置画面において、少なくとも１つのアプリケーションを出力するマルチスクリーンの設定プロセスが開示される。
【００６６】
図６を参照すれば、まず、主制御装置と従属制御装置がネットワークによって接続されているかどうかの判定が行われる（段階Ｓ５００）。
【００６７】
例えば、主制御装置と従属制御装置は、初期設定によって有線ネットワークまたは無線ネットワークを形成することができる。
【００６８】
次に、ネットワーク接続の判定メッセージが主制御装置と従属制御装置の画面上に出力される（段階Ｓ５１０）。
【００６９】
主制御装置と従属制御装置がネットワークによって接続されている場合、接続完了のメッセージが主制御装置と従属制御装置の画面上に出力される。主制御装置と従属制御装置がネットワークによって接続されていない場合、接続失敗のメッセージが主制御装置と従属制御装置の画面上に出力される。
【００７０】
次に、各ユーザ装置に応じたマルチスクリーン設定が行われる（段階Ｓ５２０）．
【００７１】
主制御装置は、主制御装置と従属制御装置の画面上に出力されるアプリケーションの選択に基づき、各ユーザ装置に対しマルチスクリーン設定を行うことができる。マルチスクリーン設定は、図１〜図５で前述したように、様々な方法により行うことができる。
【００７２】
次に、入力インターフェースの設定が行われる（段階Ｓ５３０）。
【００７３】
主制御装置や従属制御装置の画面上で出力されるアプリケーションの制御のため、入力インターフェースが選択される。
【００７４】
主制御装置や従属制御装置に外部入力インターフェースが接続されている場合、主制御装置に外部入力インターフェースの情報が出力され、ユーザは、外部入力インターフェースを使用するかどうかを決定することができる。例えば、ユーザは、複数の外部入力インターフェースと内部入力インターフェースのうち、どの入力インターフェースを使用するかについての決定を、主制御装置に設定することができる。また、内部入力インターフェースと外部インターフェースの両方が入力インターフェースとして設定されることもできる。
【００７５】
内部入力インターフェースや外部入力インターフェースのうち、設定された入力インターフェースを介した入力に基づいて、主制御装置や従属制御装置の画面上に出力されるアプリケーションを制御することができる。
【００７６】
［従属制御装置への資源割り当て］
次に、図７を参照して、本実施形態に係る従属制御装置への資源割り当てについて説明する。
【００７７】
図７では、１つの主制御装置に対し、複数のユーザ装置が従属制御装置として動作する場合を示している。
【００７８】
図７を参照すれば、主制御装置６００は、主制御装置６００と接続した複数の従属制御装置から情報を取得することができる。
【００７９】
主制御装置６００と複数の従属制御装置のそれぞれは、直接的にネットワークを形成することができる。
【００８０】
例えば、主制御装置６００は、接続された複数の従属制御装置のそれぞれに対し、通信のための時間資源を割り当てることができる。従属制御装置が３つ（第１従属制御装置６１０、第２従属制御装置６２０及び第３従属制御装置６３０）ある場合、主制御装置６００は、第１従属制御装置６１０との通信のための第１時間資源、第２従属制御装置６２０との通信のための第２時間資源、第３従属制御装置６３０との通信のための第３時間資源を、第１従属制御装置６１０〜第３従属制御装置６３０のそれぞれに割り当てることができる。
【００８１】
本発明の実施例によれば、主制御装置は、従属制御装置のハードウェア情報（または出力情報）に基づいて、時間資源を互いに異なるように割り当てることができる。例えば、主制御装置は、従属制御装置の画面サイズや設定された解像度の情報に基づいてアプリケーションを出力するためのデータ量を予測することができる。
【００８２】
第１従属制御装置６１０が最大の画面サイズを、第２従属制御装置６２０が中間の画面サイズ、第３従属制御装置６３０が最小の画面サイズを有する場合、主制御装置は、第１時間資源を最も多く、第２時間資源を第１時間資源と第３時間資源の中間大きさで、第３時間資源を最も少なく割り当てることができる。また、主制御装置６００は、従属制御装置のそれぞれとのチャンネル状態を考慮して、チャンネル状態が良くない従属制御装置に対して相対的により大きい時間資源を割り当てることもできる。
【００８３】
時間資源だけでなく、互いに異なる周波数資源を従属制御装置のそれぞれに割り当てることもできる。例えば、従属制御装置のハードウェア情報（例えば、画面サイズ、解像度、通信速度など）及び従属制御装置と主制御装置６００間のチャンネル状態情報に基づいて、従属制御装置のそれぞれに互いに異なる周波数資源を割り当てられることもできる。
【００８４】
主制御装置６００は、従属制御装置と初期接続するとき、従属制御装置のハードウェア情報を受信することができる。
【００８５】
複数の従属制御装置のそれぞれは、割り当てられた時間資源上で主制御装置との通信を行うことで、複数の従属制御装置のそれぞれの画面上に割り当てられたアプリケーションを出力するための情報を受信することができる。
【００８６】
例えば、主制御装置６００を介して第１従属制御装置６１０でアプリケーション１、第２従属制御装置６２０でアプリケーション２、第３従属制御装置６３０でアプリケーション３の出力が設定された場合を仮定する。このような場合、主制御装置６００は、第１時間資源を介して第１従属制御装置６１０にアプリケーション１の出力のためのデータを伝送し、第２時間資源を介して第２従属制御装置６２０にアプリケーション２の出力のためのデータを伝送し、第３時間資源を介して第３従属制御装置６３０にアプリケーション３の出力のためのデータを伝送することができる。
【００８７】
複数の従属制御装置がマルチスクリーンを具現する場合、切り替え指示子は、複数の従属制御装置のうちで切り替える対象を指示するために使用される。例えば、第１従属制御装置６１０〜第３従属制御装置６３０が接続される場合、切り替え指示子は、第１従属制御装置６１０〜第３従属制御装置６３０のデフォルト画面のうち、主制御装置６００の画面を切り替えて出力するデフォルト画面を選択するために使用される。
【００８８】
［主制御装置及び従属制御装置間のネットワーク設定］
次に、図８を参照して、本実施形態に係る主制御装置と従属制御装置間のネットワーク設定方法について説明する。
【００８９】
図８を参照すれば、主制御装置７００は、従属制御装置７５０の画面をマルチスクリーンとして使用するために、初期設定要請メッセージ７１０を従属制御装置７５０に伝送することができる。
【００９０】
初期設定要請メッセージ７１０は、従属制御装置７５０にマルチスクリーン設定を要請するためのメッセージであって、主制御装置７００の識別情報、及び主制御装置７００が設定しようとするマルチスクリーンのフォーマットに対する情報を含むことができる。
【００９１】
従属制御装置７５０は、初期設定要請メッセージ７１０を受信し、初期設定要請メッセージ７１０に対する応答として、初期設定応答メッセージ７２０を主制御装置７００に伝送することができる。従属制御装置７５０は、主制御装置７００の識別情報及び主制御装置７００が設定しようとするマルチスクリーンのフォーマットに基づいて、主制御装置７００とマルチスクリーン設定のための接続を行うかどうかを決定することができる。
【００９２】
例えば、従属制御装置７５０は、探知された主制御装置７００の識別子を確認し、マルチスクリーン設定のための接続を許容できる対象であるかを判断することができる。また、従属制御装置７５０は、主制御装置７００が設定しようとするマルチスクリーンのフォーマットに対するサポート可否を判断して、主制御装置７００とマルチスクリーン設定のための接続を行うかどうかを決定することができる。
【００９３】
従属制御装置７５０が主制御装置７００とマルチスクリーン設定のための接続を決定した場合、伝送される初期設定応答メッセージ７２０には、従属制御装置７５０のハードウェア情報（または出力情報）、及び主制御装置７００と従属制御装置７５０間のチャンネル状態情報を含むことができる。
【００９４】
従属制御装置７５０のハードウェア情報（または出力情報）は、従属制御装置７５０に設定可能な解像度の情報、従属制御装置７５０の画面サイズ、従属制御装置７５０で出力可能なマルチ画面の個数に対する情報などを含むことができる。チャンネル状態情報は、初期設定要請メッセージに基づいて判断された、主制御装置７００と従属制御装置７５０間のチャンネル状態に対する情報を含むことができる。  
【００９５】
初期設定応答メッセージ７２０を受信した主制御装置７００は、従属制御装置７５０に対する時間資源や周波数資源を決定した後、割り当てられた時間資源及び周波数資源に対する情報を資源割当メッセージに含み、従属制御装置７５０に伝送することができる。
【００９６】
また、主制御装置７００は、割り当てられた資源上で、従属制御装置７５０の画面上で出力されるアプリケーションのデータ（例えば、映像データ）を従属制御装置７５０に伝送することができる。
【００９７】
従属制御装置７５０は資源割当メッセージを受信し、資源割当メッセージに含まれた資源上で主制御装置７００からアプリケーションの出力のためのデータを受信することができる。
【００９８】
従属制御装置７５０は、割り当てられた時間資源を考慮し、割り当てられていない時間資源上ではパワーセーブモードで運用されて通信モジュールの電源をオフ状態に維持し、割り当てられた時間資源上でのみアクティブモードで運用されて消費戦力を節約することもできる。
【００９９】
図８では、１つの従属制御装置を仮定して説明したが、主制御装置と複数の従属制御装置を用いてマルチスクリーンが具現される場合にも、同じ方式によって複数の従属制御装置のそれぞれとマルチスクリーンの設定のための接続を行うことができる。
【０１００】
＜２．まとめ＞
図１〜図８で説明したマルチスクリーン具現方法は、ユーザ装置のプロセッサを基盤として実施することができる。
【０１０１】
ユーザ装置を使用したマルチスクリーン具現方法は、アプリケーションとして具現されるか、様々なコンピュータ構成要素を介して実施されるプログラム命令語の形態で具現され、コンピュータが読み取り可能な記録媒体に記録されることができる。記録媒体は、プログラム命令語、データファイル、データ構造などを単独または組み合わせて含むことができる。
【０１０２】
記録媒体に記録されるプログラム命令語は、本発明の実施をするために設計され、また構成されるものであるため、コンピュータソフトウェア分野の当業者に公知されて使用可能なものであり得る。
【０１０３】
記録媒体の例には、ハードディスク、フレキシブルディスク及び磁気テープのような磁気媒体、ＣＤ−ＲＯＭ、ＤＶＤのような光記録媒体、フロプティカルディスク（ｆｌｏｐｔｉｃａｌ  ｄｉｓｋ）のような光磁気媒体（ｍａｇｎｅｔｏ−ｏｐｔｉｃａｌ  ｍｅｄｉａ）、及びＲＯＭ、ＲＡＭ、フラッシュメモリーなどのようなプログラム命令語を保存して実行するように特別に構成されたハードウェア装置が含まれる。  
【０１０４】
プログラム命令語の例には、コンパイラによって作られるような機械語コードだけでなく、インタプリタなどを使用してコンピュータによって実行される高級言語コードも含まれる。ハードウェア装置は、本発明に係る処理を行うため、１つ以上のソフトウェアモジュールとして作動するように構成することができる。
【０１０５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０６】
２３０  切り替え指示子
４００  外部入力装置
４１０  内部入力装置
６００、７００  主制御装置
６１０、６２０、６３０、７５０  従属制御装置
【図１】
2016164769.tif 000003
【図２】
2016164769.tif 000004
【図３】
2016164769.tif 000005
【図４】
2016164769.tif 000006
【図５】
2016164769.tif 000007
【図６】
2016164769.tif 000008
【図７】
2016164769.tif 000009
【図８】
2016164769.tif 000010